(57)【要約】【課題】夜間の災害時或いは暗所で停電となった場合等においても、蓄光性素材の残光により簡易照明効果を発揮し得る蓄光性簡易照明体を提供する。【解決手段】蛍光管若しくは類似の形態を有する管状照明灯に使用する簡易照明体について、管状照明灯Ｌ１、Ｌ２に取り付けるために長手方向と平行に一箇所で切離した照明体本体１１を有し、上記照明体本体１１は、樹脂に蓄光性素材を混合した材料を用いて柔軟に形成されており、かつ、照明体本体１１の内径は管状照明灯Ｌ１、Ｌ２の管外径とほぼ同径に形成されている。【選択図】          図１
2015159095.tif 000002
【特許請求の範囲】
【請求項１】
蛍光管若しくは類似の形態を有する管状照明灯に使用する簡易照明体であって、
管状照明灯に取り付けるために長手方向と平行に一箇所で切離した照明体本体を有し、
上記照明体本体は、樹脂に蓄光性素材を混合した材料を用いて柔軟に形成されており、
かつ、照明体本体の内径が管状照明灯の管外径とほぼ同径に形成された
蓄光性簡易照明体。
【請求項２】
照明体本体は、円筒の一部を切離した縁に沿って形成した凹凸状縁部を有している
請求項１又は２記載の蓄光性簡易照明体。
【請求項３】
照明体本体はシリコン樹脂を主剤とし、上記シリコン樹脂に対する蓄光性素材の混合割合が質量比で３〜３５％の範囲にある材料から成る
請求項１記載の管状照明灯用簡易照明体。
【請求項４】
照明体本体は、外力を加えない状態において、円筒の一部を切欠いた縁が重なり合うように形成されている
請求項１ないし３の何れかに記載の蓄光性簡易照明体。
【発明の詳細な説明】
【技術分野】
【０００１】
この発明は、蛍光管若しくは類似の形態を有する管状照明灯に使用する蓄光性簡易照明体に関するものである。
【背景技術】
【０００２】
蛍光管に取り付けて消灯後に残光で光らせる商品があり、種類も増えている。しかし、従来の蓄光カバーと呼ばれているものは、例えば、成型された硬質の樹脂カバーを使用したものが主体であり、蛍光管に着脱し難く、重く、扱いにくいという問題がある。
【０００３】
上記の樹脂カバーは硬質であるからそれ自体を自由に曲げることはできない。この種の先行技術には特開２００８−９８０１６号の発明がある。本件の発明者は、直管状又は円環状の蛍光管に共用できる蓄光性簡易照明体の実現を探求して来たが、上記発明のように従来のものには共用するという発想がない。
【０００４】
また、従来のものに、透明な樹脂ケースの中に蓄光シートを入れた商品があるが、蓄光部分がシート状で薄いため発光性能が低いという問題がある。これに類似する先行技術には登録実用新案第３０９８６９３号の発明がある。しかし、この発明にも直管状又は円環状の蛍光管に共用するという発想はない。
【０００５】
【特許文献１】特開２００８−９８０１６号
【特許文献２】登録実用新案第３０９８６９３号
【発明の開示】
【発明が解決しようとする課題】
【０００６】
本発明は前記の点に鑑みてなされたもので、その課題は、夜間の災害時或いは暗所で停電となった場合等においても、蓄光性素材の残光により簡易照明効果を発揮し得る蓄光性簡易照明体を提供することである。また、本発明の他の課題は、直管状又は円環状の蛍光管に共用できる蓄光性簡易照明体を提供することである。
【課題を解決するための手段】
【０００７】
前記の課題を解決するため、本発明は、蛍光管若しくは類似の形態を有する管状照明灯に使用する蓄光性簡易照明体として、管状照明灯に取り付けるために円筒軸方向と平行に一箇所で切離した照明体本体を有し、上記照明体本体は、樹脂に蓄光性素材を混合した材料を用いて柔軟に形成されており、かつ、照明体本体の内径が管状照明灯の管外径とほぼ同径に形成するという手段を講じたものである。管外径とほぼ同径とは、同径又はそれ以下が主であるが、管外径それ以上であっても外れない範囲であれば取り付け可能であるから、管外径以上の場合も含むものである。
【０００８】
本発明の蓄光性簡易照明体は、１個で直管状又は円環状の蛍光管等に共用可能なものである。つまり、本発明は真っ直ぐの形態の管状照明灯でも、また、円弧状の形態の管状照明灯でも、どちらの形態でも使用することができる蓄光性簡易照明体であることを一つの特徴とする。
【０００９】
本発明の蓄光性簡易照明体を適用するものは蛍光管に限らない。現在、蛍光管の代替品として普及が進んでいるものに、ＬＥＤ素子を用いた管状の照明灯があり、この管状照明灯は、従来の蛍光灯の形態を踏襲している。従って、本発明の構成を何も修正することなく、ＬＥＤ素子を用いた管状の照明灯に適用することができる。
【００１０】
本発明の蓄光性簡易照明体は、例えば円筒型の管状体の一部を長手方向（円筒軸方向）へ切り離して欠円筒形状にして、管状照明灯に取り付けられるようにした照明体本体を有している。この構成により、照明体本体を管状照明灯に適用する操作が相当程度容易になるものである。但し、切り離したというのは比喩であり、管状体のままではないというほどの意味である。なお、管状体の横断面としては円筒のみならず、例えば楕円形等任意の形態を含む。
【００１１】
照明体本体を管状照明灯に適用するために必要な手段は、照明体本体が、樹脂に蓄光性素材を混合した材料を用いて柔軟に形成されることである。単に弾性があるといえば硬質の樹脂カバーにも弾性はあるが、本発明のカバーには、より柔軟に形成されていることが求められ、弾性だけでなく弾力性が必要である。
【００１２】
そのような照明体本体はシリコン樹脂を主剤とし、上記シリコン樹脂に対する蓄光性素材の混合割合が質量比で３〜３５％の範囲にある材料から成るものを使用することが望ましい。蓄光性素材には市販のものを用いるが、それらは硫化亜鉛系、アルミン酸ストロンチウム系の安全なものとされている。なお、柔軟なカバーは直管状又は円環状に形成することが可能である。
【００１３】
蓄光については、本発明はシリコン樹脂を主剤としたプラスチック成形品であって、蓄光性素材のシリコン樹脂材料に対する割合が質量比で３〜３５％の範囲にあるという構成を取ることができる。その理由は３％未満では蓄光物質の残光効果が十分に発揮されず、これに対して、３５％を超えると成型の困難性が増すためである。
【００１４】
照明体本体は、円筒の一部を切り離した縁に沿って形成した凹凸状縁部を有していることが望ましい。凹凸状縁部としてはいわゆる尖った鋸歯状のほか、台形の鋸歯状或いは波型のもの等を含む。また、照明体本体は、外力を加えない状態において、円筒の一部を切り離した縁が重なり合う渦巻きのようにも形成され得る。
【発明の効果】
【００１５】
本発明は以上のように構成され、かつ、作用するものであるから夜間の災害時或いは暗所で停電となった場合等においても、蓄光性素材の残光により、点灯時よりはずっと暗いながらも照明効果を発揮し、それによって室内の状況や自分の位置などを明確に目視することができ、安全に行動することができるという効果を奏する。また、本発明によれば、蓄光性簡易照明体が柔軟に形成されているので、直管状の蛍光管等に取り付けるものを、そのまま用いて円環状の蛍光管等に取り付けられ、１個のものを直管と曲管との二様に共用可能な蓄光性簡易照明体を提供することができる。
【発明を実施するための最良の形態】
【００１６】
以下、図示の実施形態を参照して本発明をより詳細に説明する。図１は本発明に係る蓄光性簡易照明体１０を示しており、この蓄光性簡易照明体１０は直管状又は円環状の蛍光管若しくは類似の管状照明灯に共用することができるものである。
【００１７】
上記蓄光性簡易照明体１０は、管状照明灯に取り付けるために円筒を円筒軸方向へ切り離し、或いは、円筒の一部を切り欠いて欠円筒形状にした形態の照明体本体１１を有している。上記照明体本体１１は樹脂に蓄光性素材を混合した材料を用いて柔軟に形成されており、かつ、照明体本体１１の内径は管状照明灯の管外径とほぼ同径又はそれ以下に形成されている。
【００１８】
管状照明灯については便宜上、直管状のものの符号をＬ１、円環状のものの符号をＬ２と記載する。これらの直管状の管状照明灯Ｌ１と円環状の管状照明灯Ｌ２は、蛍光管とＬＥＤ素子等を用いた管状の照明灯を区別していない。つまり、同一の照明体本体１１は、どちらにも等しく管状照明灯Ｌ１、Ｌ２としてそのまま適用され得る。
【００１９】
図１に示した照明体本体１１は、一定半径Ｒの円筒の一部を切り離したもので（図３参照）、その縁に沿って形成された、いわゆる鋸歯状の凹凸状縁部１２、１３を有する。凹凸状縁部１２、１３は、鋸歯状を形成している切れ込みの角度を４５度程度の鋭角に形成し、かつ、先端を長手方向に断ち切って台形のように形成したものである（しかし、切れ込みの角度を鋭角と限定する趣旨ではなく鈍角もあり得る。或いは波型の凹凸状縁部であっても良い）。
【００２０】
凹凸状縁部１２、１３は、台形の上辺１４の幅が管状照明灯の外面への接触面積が広くなっているので発光面積が増し、かつ、保持力も高められる。また、切れ込みの先端１５は円筒の軸線１６を超える位置に達している（図２参照）。しかし、これは例示であり、軸線１６に達しないものも発明の範囲内である。なお、切れ込みの深さは切れ込み角度の尖鋭さと共に曲げ易さに寄与する。
【００２１】
図示の実施形態における照明体本体１１は、シリコン樹脂を主剤とするもので、上記シリコン樹脂に対する蓄光性素材の混合割合は、質量比で３〜３５％の範囲にある材料から成る。これは事前に行なった実験により決定したもので、蓄光性素材の混合割合としてより望ましい範囲は少量側でおよそ１０％、多量側でおよそ２０％の範囲である。
【００２２】
照明体本体１１は、上記組成の樹脂材料を用いて型成形技術により形成される。一方、蛍光管は管外径の細い１５．５ｍｍから管外径の太い３８ｍｍ（いずれも直径）のものまである。上記組成による照明体本体１１の場合には、照明体本体１１の内径を、最小で例えば１５ｍｍとしたときの内周長は４７．１ｍｍである。ゆえに、管外径の細い１５．５ｍｍのものを最小として、蛍光管の半周をカバーする場合は太さ２５ｍｍのものの半周長が３９．２５ｍｍ、３０ｍｍのものの半周長が４７．１ｍｍであるから、３０φのものにまで適用することができる。
【００２３】
図１に示したのは管外径の細い１５．５ｍｍの管状照明灯を対象とする照明体本体１１の例である。その数値を一例として示すと、内径１５ｍｍ、肉厚２．５ｍｍ、長さ１５０ｍｍと設定されている。実施形態の照明体本体１１の肉厚２．５ｍｍは、内径１５ｍｍのもののほか、その二倍の内径３０ｍｍの照明体本体１１についても妥当な肉厚である。長さ１５０ｍｍから理解されるように、この蓄光性照明体１０は管状照明灯Ｌ１、Ｌ２の全部をカバーしなくても良い。
【００２４】
しかし、照明体本体１１の内径が３０ｍｍを超える場合、より肉厚に設定することが望ましい。実施形態では３ｍｍ或いは３．５ｍｍ等の肉厚についても実験を行ない、良い結果を得ている。肉厚化によって重くなるものの、蓄光量も増すのでより明るく発光させることができる。
【００２５】
上記照明体本体１１の両方の端部１７、１８はテーパー状又は端部に向かって肉薄になるように整形することが望ましい。この整形により、肉薄の端部１７、１８が締まる方向に作用するので、断ち切ったままの端部よりも管状照明灯Ｌ１、Ｌ２への密着性がやや有利になる。
【００２６】
上記例１では、凹凸状縁部１２、１３が両縁で同一形状、かつ、同一ピッチの対称の構成である。しかしそれは例示であり、例えば、凹凸状縁部を図４に示す例２のように構成することができる。例２では照明体本体２１の凹凸状縁部２２、２３が先のとがった三角形状であり、かつ、軸方向へ半ピッチずつずれて配置されている。このため、例２の凹凸状縁部１２、１３は鋸歯の凹凸が噛み合うように収縮させることができ、調節量も増す。
【００２７】
これまでの例１、例２はどれも凹凸状縁部１２、１３、２２、２３の間に隙間１９ができる形態であった。これに対し、図５に示す例３の照明体本体３１では、外力を加えない状態において、円筒の一部を切欠いた縁が重なり合うように形成されている。このため、例３の照明体本体３１は凹凸状縁部３２、３３が巻合わさった状態から、隙間１９ができる状態まで拡げられるようになる。
【００２８】
このように構成された蓄光性簡易照明体（代表として１０）は、蛍光管若しくは類似の形態を有する管状照明灯Ｌ１、Ｌ２に、蓄光性簡易照明体１０を、隙間１９を開き嵌め付けて使用する。直管状の管状照明灯Ｌ１は、例えば図６に示したように凹凸状縁部１２、１３、２２、２３、３２、３３が上向きになるように取り付けて使用する。直管状の管状照明灯Ｌ１へ取り付ける場合、凹凸状縁部１２、１３、２２、２３、３２、３３の切れ込みがカバーを広がり易くし、管径の大小にかかわらず着脱を容易にする。
【００２９】
また、円環状の管状照明灯Ｌ２の場合には凹凸状縁部１２、１３、２２、２３、３２、３３が外向きになるように蓄光性簡易照明体１０を取り付けて使用する。円環状の管状照明灯Ｌ２へ取り付ける場合、凹凸状縁部１２、１３、２２、２３、３２、３３を外向きにすると、その切れ込みが広がってカバーが曲がり易くなり、その反力で円環状の管状照明灯Ｌ２への取り付け力も高められる。
【００３０】
管状照明灯Ｌ１、Ｌ２を点灯することで、蓄光性素材に光が蓄えられ、点灯している間中その作用が続く。管状照明灯Ｌ１、Ｌ２のスイッチが切られ、或いは停電になると管状照明灯Ｌ１、Ｌ２が消えて電力を消費する照明は消失する。しかし、本発明によれば蓄光性簡易照明体１０が発光し続けるので、電力照明が消えてもほのかに室内を照らす程度の照度が得られ、良好な条件では照明効果が数時間程度継続する。従って、実施形態の蓄光性簡易照明体１０では、家具の配置、家人の立ち位置等が分かり、安全に行動できることが確認された。
【００３１】
本発明の蓄光性簡易照明体１０、２０、３０に好適に使用できる上記のシリコン樹脂はいわゆるシリコーンゴムとも呼ばれるものである。シリコーンゴムは硬さの調整によって収縮力が変化するので、より硬いゴムを用いることで適用可能な管径の範囲を拡張することができるが、変形性は、硬度と反比例して低下するので、その兼ね合いに注意して設計を行なう必要がある。また、照明体本体１１、２１、３１の横断面形状として、これまでは円形とのみ記述したが、楕円形の横断面形状とすることも保持性能を改良する上で有効である。例えば、前記隙間１９を通って照明体本体１１等を二分する直線が長軸方向となる楕円形の横断面形状とすることで、保持力を高めることができ、このような変更により家庭用で使用されている蛍光灯の規格のほぼ全てをカバーすることも可能になる。上記は照明体本体１１、２１、３１の肉厚が一様であることを前提としている。しかし、この肉厚も凹凸状縁部１２、１３等を他の部分より厚め、或いは薄めにするなどの変更を加えることができる。なお、照明体本体１１、２１、３１の肉厚は簡易照明体１０、２０、３０の照度と比例する。
【図面の簡単な説明】
【００３２】
【図１】本発明に係る蓄光性簡易照明体の例１を示す斜視図である。
【図２】同上の正面説明図である。
【図３】同じく端面図である。
【図４】同じく蓄光性簡易照明体の例２を示す斜視図である。
【図５】同じく蓄光性簡易照明体の例３を示す斜視図である。
【図６】同じく使用状態の一例を示す部分正面図である。
【図７】同じく使用状態の他例を示す説明図である。
【符号の説明】
【００３３】
１０、２０、３０  蓄光性簡易照明体
１１、２１、３１  照明体本体
１２、２２、３２  凹凸状縁部
１３、２３、３３  凹凸状縁部
１４  台形の上辺
１５  切れ込みの先端
１６  円筒の軸線
１７、１８  端部
１９  隙間
Ｌ１、Ｌ２  管状照明灯
【図１】
2015159095.tif 000003
【図２】
2015159095.tif 000004
【図３】
2015159095.tif 000005
【図４】
2015159095.tif 000006
【図５】
2015159095.tif 000007
【図６】
2015159095.tif 000008
【図７】
2015159095.tif 000009